(57)【特許請求の範囲】
【請求項１】
記録媒体に画像を形成する画像形成部を収容する筐体と、
前記画像形成部の上方に配置される画像読取装置と、
前記画像読取装置の幅が前記筐体の幅よりも狭くない場合に、前記筐体の側面に固定され前記画像読取装置の一端側を支持して固定する支持体と、
前記画像読取装置の幅が前記筐体の幅よりも狭い場合に、前記画像読取装置の一端側を前記支持体と連結する連結体と、を備え、
前記支持体は、前記筐体への固定位置から片持ち状に延びて前記画像読取装置を支持する支持部と、前記画像読取装置を前記支持体に固定する固定部と、前記連結体と前記画像読取装置を固定する固定手段を挿通させる貫通孔と、を有する、
ことを特徴とする画像形成装置。
【請求項２】
前記支持体は、前記画像読取装置を着脱可能に前記筐体に固定する、
ことを特徴とする請求項１に画像形成装置。
【請求項３】
前記連結体は、前記画像読取装置を着脱可能に前記支持体に固定する、
ことを特徴とする請求項１又は２に記載の画像形成装置。
【請求項４】
前記連結体は、長手方向と交差する断面形状が箱形状からなり、前記箱形状の一端が閉口している、
ことを特徴とする請求項１ないし３のいずれか１項に記載の画像形成装置。
【請求項５】
前記連結体は、前記支持体の側面に固定され、前記画像読取装置を支持する支持部と、前記画像読取装置を固定する固定部と、を有する、
ことを特徴とする請求項１ないし４のいずれか１項に記載の画像形成装置。
【発明の詳細な説明】
【技術分野】
【０００１】
本発明は、画像形成装置に関する。
【背景技術】
【０００２】
装置本体の上部に原稿の画像を読み取るスキャナ部を設け、下部にその読取画像を記録部で用紙に記録する画像形成部を設けるとともに、その画像形成部とスキャナ部との間に記録後の用紙を排出する排紙スタック部を設ける画像形成装置において、記録部を間に配置して支持する一対の側板を備え、その側板に支柱を一体にまたは固着して設け、その支柱でスキャナ部を支持してなる画像形成装置が知られている（特許文献１）。
【先行技術文献】
【特許文献】
【０００３】
【特許文献１】特開平１０−２６８５４号公報
【発明の概要】
【発明が解決しようとする課題】
【０００４】
本発明は、画像読取装置の歪を抑制することができる画像形成装置を提供することを目的とする。
【課題を解決するための手段】
【０００５】
前記課題を解決するために、請求項１に記載の画像形成装置は、
記録媒体に画像を形成する画像形成部を収容する筐体と、
前記画像形成部の上方に配置される画像読取装置と、
前記画像読取装置の幅が前記筐体の幅よりも狭くない場合に、前記筐体の側面に固定され前記画像読取装置の一端側を支持して固定する支持体と、
前記画像読取装置の幅が前記筐体の幅よりも狭い場合に、前記画像読取装置の一端側を前記支持体と連結する連結体と、を備え、
前記支持体は、前記筐体への固定位置から片持ち状に延びて前記画像読取装置を支持する支持部と、前記画像読取装置を前記支持体に固定する固定部と、前記連結体と前記画像読取装置を固定する固定手段を挿通させる貫通孔と、を有する、
ことを特徴とする。
【０００６】
請求項２に記載の発明は、請求項１に記載の画像形成装置において、
前記支持体は、前記画像読取装置を着脱可能に前記筐体に固定する、
ことを特徴とする。
【０００８】
請求項３記載の発明は、請求項１又は２に記載の画像形成装置において、
前記連結体は、前記画像読取装置を着脱可能に前記支持体に固定する、
ことを特徴とする。
【０００９】
請求項４記載の発明は、請求項１ないし３のいずれか１項に記載の画像形成装置において、
前記連結体は、長手方向と交差する断面形状が箱形状からなり、前記箱形状の一端が閉口している、
ことを特徴とする。
【００１０】
請求項５記載の発明は、請求項１ないし４のいずれか１項に記載の画像形成装置において、
前記連結体は、前記支持体の側面に固定され、前記画像読取装置を支持する支持部と、前記画像読取装置を固定する固定部と、を有する、
ことを特徴とする。
【発明の効果】
【００１１】
請求項１に記載の発明によれば、複数種類の画像読取装置から選択して交換可能に配置される画像読取装置の歪を抑制することができる。
請求項２に記載の発明によれば、画像読取装置を交換可能に支持することができる。
請求項３に記載の発明によれば、筐体幅より狭い画像読取装置を装着することができる。
請求項４に記載の発明によれば、連結体の変形を抑制ことができる。
請求項５に記載の発明によれば、画像読取装置を交換可能に支持することができる。
【図面の簡単な説明】
【００１２】
【図１】画像形成装置１の内部構成を示す断面模式図である。
【図２】支持体１５０及び連結体１６０が固定された筐体１００の画像読取装置３側に視点をおいた斜視図である。
【図３】（ａ）は支持体１５０の内面側に視点をおいた斜視図、（ｂ）は外面側に視点をおいた斜視図である。
【図４】（ａ）は連結体１６０を支持体１５０に取り付けた状態を支持体１５０側に視点をおいて示す斜視図、（ｂ）は連結体１６０側に視点をおいて示す斜視図である。
【図５】筐体１００に画像読取装置３Ａが支持体１５０を介して取り付けられた状態を示す斜視図である。
【図６】筐体１００に画像読取装置３Ａが支持体１５０を介して取り付けられた状態を支持体１５０側に視点をおいて示す側面図である。
【図７】筐体１００に画像読取装置３Ｂが連結体１６０及び支持体１５０を介して取り付けられた状態を示す斜視図である。
【図８】筐体１００に画像読取装置３Ｂが連結体１６０及び支持体１５０を介して取り付けられた状態を支持体１５０側に視点をおいて示す側面図である。
【発明を実施するための形態】
【００１３】
次に図面を参照しながら、以下に実施形態及び具体例を挙げ、本発明を更に詳細に説明するが、本発明はこれらの実施形態及び具体例に限定されるものではない。
また、以下の図面を使用した説明において、図面は模式的なものであり、各寸法の比率等は現実のものとは異なることに留意すべきであり、理解の容易のために説明に必要な部材以外の図示は適宜省略されている。
【００１４】
（１）画像形成装置の全体構成及び動作
図１は画像形成装置１の全体構成及び内部構成を示す縦断面図である。
以下、図面を参照しながら、画像形成装置１の全体構成及び動作を説明する。
【００１５】
画像形成装置１は、電子写真方式によって画像を形成する画像形成部２と、原稿等の読み取りを行う画像読取装置３が画像読取装置支持部４によって画像形成部２の上方に支持されて構成されている。
画像形成部２は、筐体１００（図２に図示）内に、制御装置１０、給紙装置２０、感光体ユニット３０、現像ユニット４０、転写ユニット５０、定着ユニット６０が配置されている。画像形成部２の上面（Ｚ方向）には、画像が記録された用紙が排出・収容される排出トレイ部Ｔが形成されている。
【００１６】
（１．２）画像形成部
制御装置１０は、画像形成装置１の動作を制御するコントローラ１１と、コントローラ１１により作動を制御される画像処理部１２、電源装置１３等を有する。電源装置１３は、感光体ユニット３０、現像ユニット４０、転写ユニット５０等に電圧を印加する。
画像処理部１２は、外部の情報送信装置（例えばパーソナルコンピュータ等）から入力された印刷情報を潜像形成用の画像情報に変換して予め設定されたタイミングで、駆動信号を露光装置ＬＨに出力する。
【００１７】
画像形成部２の底部には、多数の記録媒体としての用紙Ｐが積載された給紙装置２０が設けられ、規制板（不図示）で幅方向位置が決められた用紙Ｐは、上側から１枚ずつ用紙引き出し部２２により前方（−Ｘ方向）に引き出された後、レジストローラ対２３のニップ部まで搬送される。
【００１８】
感光体ユニット３０は、給紙装置２０の上方（Ｚ方向）に、それぞれが並列して設けられ、回転駆動する感光体ドラム３１を備えている。それぞれの感光体ドラム３１上にはそれぞれの現像ユニット４０によってイエロー（Ｙ）、マゼンタ（Ｍ）、シアン（Ｃ）、黒（Ｋ）のトナー像が形成される。
【００１９】
各感光体ユニット３０の感光体ドラム３１に形成された各色トナー像は、転写ユニット５０の中間転写ベルト５１上に順次静電転写（一次転写）され、各色トナーが重畳された重畳トナー像が形成される。中間転写ベルト５１上の重畳トナー像は、レジストローラ対２３から送り出され、搬送ガイドにより案内された用紙Ｐに二次転写ローラ５２によって一括転写される。
【００２０】
転写ユニット５０においてトナー像が一括転写された用紙Ｐは、トナー像が未定着の状態で定着ユニット６０に搬送され、一対の加熱モジュール６１と加圧モジュール６２により、圧着と加熱の作用でトナー像が定着される。
定着トナー像が形成された用紙Ｐは、搬送ガイドによってガイドされ、排出ローラ対６３から画像形成部２の上面（Ｚ方向）に形成された排出トレイ部Ｔに排出・収容される。
【００２１】
（２）筐体の構成
図２は支持体１５０及び連結体１６０が固定された筐体１００の画像読取装置３側に視点をおいた斜視図、図３（ａ）は支持体１５０の内面側に視点をおいた斜視図、（ｂ）は外面側に視点をおいた斜視図、図４（ａ）は連結体１６０を支持体１５０に取り付けた状態を支持体１５０側に視点をおいて示す斜視図、（ｂ）は連結体１６０側に視点をおいて示す斜視図である。
以下、図面を参照しながら、画像形成装置１の筐体１００の構成について説明する。
【００２２】
（２．１）筐体の全体構成
図２に示すように、画像形成装置１の筐体１００は、対面する第１側板１１０と第２側板１２０、第１側板１１０の左右から直立する第１支柱１１１、第２支柱１１２、第１側板１１０及び第２側板１２０を筐体底部で連結する底板１３０、第１支柱１１１と第２側板１２０を筐体上部で連結する第１連結部材１４１、第２支柱１１２と第２側板１２０を筐体上部で連結する第２連結部材１４２、第１支柱１１１と第２側板１２０を筐体下部で連結する第３連結部材１４３、第２支柱１１２と第２側板１２０を筐体下部で連結する第４連結部材１４４を含んで構成され、全体として枠構造をなしている。
【００２３】
第１側板１１０には、開口部１１０ａが形成され、画像形成装置１の前面側から感光体ユニット３０、現像ユニット４０、転写ユニット５０（図１参照）を着脱可能としている。
第２側板１２０の内面側には、筐体１００内に装着された感光体ユニット３０、現像ユニット４０、転写ユニット５０を駆動する駆動装置（不図示）の駆動伝達部１２１が突出して支持されている。
【００２４】
第２側板１２０の側面１２０ａの上部には支持体１５０がネジ固定されている。また、図２においては連結体１６０が支持体１５０に取り付けられた状態を示している。
【００２５】
（２．２）支持体
支持体１５０は第２側板１２０の側面１２０ａにネジ固定され、画像読取装置３Ａの一端側を支持するともに、筐体幅よりも狭い画像読取装置３Ｂを連結体１６０を介して支持する。
【００２６】
支持体１５０は、固定部１５０ａ、１５０ｂ、１５０ｃと、固定部１５０ｂから片持ち状に伸びた第１支持部１５１と、第１支持部１５１とは離れた位置で支持体１５０の内面側に突出して絞りポケット形状に形成された第２支持部１５２と、画像読取装置３Ａを側面から支持体１５０に固定する固定部１５３と、連結体１６０と画像読取装置３Ｂを固定する固定手段としてのネジを挿通させる貫通孔１５４とを有する。
【００２７】
固定部１５０ａは支持体１５０の一端側で全体が平面で構成され（図３（ａ）中に斜線で表示）、第２側板１２０の側面１２０ａに取り付け穴１５５を介してネジ固定される。
本実施形態においては、５箇所でネジ固定される。固定部１５０ｂ、１５０ｃは固定部１５０ａと交差する方向で第２側板１２０に取り付け穴１５６、１５７を介してネジ固定される。
その結果、支持体１５０は、筐体１００の第２側板１２０に強固に固定され、画像読取装置３Ａ、３Ｂの一端側を片持ち状に支持する。
【００２８】
第１支持部１５１は、固定部１５０ｂから片持ち状に伸びて支持体１５０の固定部１５０ａと交差する方向に突出した面として支持体１５０と一体に形成されている。
第１支持部１５１には、取り付け部１５１ａが設けられ画像読取装置３Ａの一端側がネジ固定されて支持される。本実施形態においては、取り付け部１５１ａは一定間隔で３箇所設けられている。
また、画像読取装置として筐体幅よりも狭い画像読取装置３Ｂが選択された場合には、連結体１６０が取り付け部１５１ａにネジ固定される。
【００２９】
支持体１５０の第１支持部１５１と交差する内面側には固定部１５３が設けられ、画像読取装置３Ａを支持体１５０に位置決めして支持体１５０の外側からネジで固定する。本実施形態においては、固定部１５３は一定間隔で５箇所に設けられている。
第２支持部１５２は絞り面を有し、画像読取装置３Ａが第１支持部１５１とともに下方から支持された状態でネジ固定される。
【００３０】
支持体１５０には複数の貫通孔１５４が設けられている。貫通孔１５４は、連結体１６を介して筐体幅よりも狭い画像読取装置３Ｂを取り付ける場合に、連結体１６０に画像読取装置３Ｂをネジ固定するネジを挿通する穴として使用される。
【００３１】
（２．３）連結体
連結体１６０は、筐体１００に筐体幅よりも狭い画像読取装置３Ｂを取り付ける場合に、画像読取装置３Ａの一端側を支持する支持体１５０と画像読取装置３Ｂとを連結して支持体１５０に着脱可能に固定される補助部材である。
【００３２】
連結体１６０は、一端１６１が閉口し長手方向と交差する断面形状が箱形状であり、画像読取装置３Ｂを支持体１５０に連結した際の画像読取装置３Ｂの荷重による変形が抑制されている。
【００３３】
連結体１６０は、図４（ａ）に示すように、上面１６０ｂに設けられた貫通孔１６４からネジを挿通して支持体１５０の第１支持部１５１に固定され（図４（ａ）中  矢印Ｒ１参照）、支持体１５０に対しては着脱可能とされている。
【００３４】
図４（ｂ）に示すように、連結体１６０の内面１６０ａ側には、画像読取装置３Ｂの一端側を支持する支持部１６２と、支持部１６２に支持された画像読取装置３Ｂを固定する固定部１６３を有する。本実施形態においては、固定部１６３は一定間隔で４箇所に設けられている。
【００３５】
画像読取装置３Ｂは、下方から支持部１６２に支持された状態で、支持体１５０の貫通孔１５４を挿通したネジで固定部１６３を介して連結体１６０の内面１６０ａ側に固定される（図４（ａ）中  矢印Ｒ２参照）。
【００３６】
（３）画像読取装置の支持構造
図５は筐体１００に画像読取装置３Ａが支持体１５０を介して取り付けられた状態を示す斜視図、図６は筐体１００に画像読取装置３Ａが支持体１５０を介して取り付けられた状態を支持体１５０側に視点をおいて示す側面図、図７は筐体１００に画像読取装置３Ｂが連結体１６０及び支持体１５０を介して取り付けられた状態を示す斜視図、図８は筐体１００に画像読取装置３Ｂが連結体１６０及び支持体１５０を介して取り付けられた状態を支持体１５０側に視点をおいて示す側面図である。
【００３７】
図５に示すように、画像形成装置１の画像読取装置３として、筐体幅Ｗ０と略同様の幅寸法Ｗ１を有する画像読取装置３Ａが選択される場合には、画像読取装置３Ａの他端側は、第１連結部材１４１の上面１４１ａ（図２参照）に載置されて固定される。
【００３８】
画像読取装置３Ａの一端側は、筐体１００の第２側板１２０の側面１２０ａに固定された支持体１５０の第１支持部１５１、第２支持部１５２に支持された状態で支持体１５０の外側から固定部１５３を介してネジＳ１で固定される（図６参照）。
【００３９】
図７に示すように、画像形成装置１の画像読取装置３として、筐体幅Ｗ０より狭い幅寸法Ｗ２を有する画像読取装置３Ｂが選択される場合には、画像読取装置３Ａと同様に、画像読取装置３Ｂの他端側は、第１連結部材１４１の上面１４１ａ（図２参照）に載置されて固定される。
【００４０】
図８に示すように、画像読取装置３Ｂの一端側は、支持体１５０に固定された連結体１６０の支持部１６２に支持された状態で支持体１５０の外側から連結体１６０の固定部１６３を介してネジＳ２で固定される（図８参照）。
【００４１】
連結体１６０は、筐体１００の第２側板１２０の側面１２０ａに固定された支持体１５０の第１支持部１５１に支持された状態で支持体１５０にネジ固定されているために、支持体１５０に対して着脱可能で、画像読取装置３Ｂは連結体１６０を介して支持体１５０に着脱可能に支持される。
【００４２】
そのために、配置される画像読取装置の幅寸法に応じて、連結体１６０を用いて、画像読取装置の一端側を片持ち状に支持する支持体１５０と連結することによって、共通化された筐体１００を有する画像形成装置１に対して、画像読取装置を複数種類の画像読取装置から選択して配置することができる。
筐体幅よりも狭い画像読取装置が選択された場合であっても、筐体１００に固定された支持体１５０と、一端が閉口し断面形状が箱形状の連結体１６０を用いて連結することによって、画像読取装置に荷重がかかった際の歪が抑制され、画像読取精度が悪化することがない。
【符号の説明】
【００４３】
１・・・画像形成装置
２・・・画像形成部
３・・・画像読取装置
４・・・画像読取装置支持部
１０・・・制御装置
２０・・・給紙装置
３０・・・感光体ユニット
４０・・・現像ユニット
５０・・・転写ユニット
６０・・・定着ユニット
１００・・・筐体
１１０・・・第１側板
１１１・・・第１支柱
１１２・・・第２支柱
１２０・・・第２側板
１３０・・・底板
１４１・・・第１連結部材
１４２・・・第２連結部材
１４３・・・第３連結部材
１４４・・・第４連結部材
１５０・・・支持体
１５１・・・第１支持部
１５２・・・第２支持部
１５３・・・固定部
１５４・・・貫通孔
１６０・・・連結体
１６１・・・閉口端部
１６２・・・支持部
１６３・・・固定部
１６４・・・貫通孔
【図１】
0006589407.tif 000002
【図２】
0006589407.tif 000003
【図３】
0006589407.tif 000004
【図４】
0006589407.tif 000005
【図５】
0006589407.tif 000006
【図６】
0006589407.tif 000007
【図７】
0006589407.tif 000008
【図８】
0006589407.tif 000009